(57)【特許請求の範囲】
【請求項１】
開口部の奥行方向に平行に配列した複数枚の連動引戸と、前記開口部の上枠、下枠の一方又は双方に固定して各引戸をそれぞれ開閉方向に案内する引戸レールと、前記連動引戸のうち奥行方向奥側の内扉に付設した支持手段で支持し、周面が奥行方向手前の外扉と前記引戸レールに当接する連動ローラと、外扉が常に重なる内扉の閉方向戸先側の下部に突設する戸当りと、外扉の閉方向戸先側と戸尻側にそれぞれ固設するストッパを備え、最も手前の外扉を閉方向に移動すると、外扉に当接した前記連動ローラが回転しながら内扉も外扉に連動して同じ方向へ遅れて移動する一方、前記戸当りに閉方向戸尻側の前記ストッパを当てて外扉を内扉と連れだって移動する連動式引戸装置であって、
前記連動ローラの前記支持手段を、内扉の上部又は下部の一方に前記開口部の奥行方向に回転自在に付設する一方、
外扉の上部又は下部の一方において、閉時に閉方向戸尻側の前記ストッパが前記戸当りに当ったときに前記連動ローラと対向する位置に、逃げ凹部を設けてなることを特徴とする、連動式引戸装置。
【発明の詳細な説明】
【技術分野】
【０００１】
本発明は、平行に配列した複数枚の連動引戸の中で、最も手前の外扉を移動させると、その外扉の移動に連動して隣りの内扉を移動させて開口部を開閉する連動式引戸装置に関する。
【背景技術】
【０００２】
従来、この種の連動式引戸装置の中には、図１４および図１５に示すように、開口部ｓの奥行方向に平行に配列した連動引戸の内扉ａと外扉ｂを、それぞれ上端面の係合溝１ａ・１ｂに上枠ｆに固定した引戸レール２のガイドリブ２ａ・２ｂを係合して吊り込む一方、奥行方向奥側の内扉ａに、連動ローラ３を回転自在にローラ軸４ａで枢支した支持手段４を付設し、連動ローラ３の周面を奥行方向手前の外扉ｂと引戸レール２に当接し、開閉時、外扉ｂを移動させると、外扉ｂに当接した連動ローラ３が回転しながら内扉ａも外扉ｂに連動して同じ方向へ遅れて移動するようにしたものがある（特許文献１参照）。
【０００３】
ところで、連動ローラ３を使った従来の連動式引戸装置は、連動ローラ３の周面を外扉ｂと引戸レール２に当接して内扉ａと外扉ｂを連動させるが、連動ローラ３は、外扉ｂとは例えば樹脂製の面材に摺接する一方、引戸レール２とはアルミニウム等からなる金属面に摺接するため、摩擦抵抗の違いからスリップして外扉ｂが滑るように速く走行し、内扉ａとの間に間隙が開くほど先行して全閉位置に到達してしまうことが多い。そこで、この種の連動式引戸装置では、外扉ｂが常に重なる内扉ａの戸先側下部に戸当り５を突設する一方、外扉ｂには、その下端面のガイド溝ｇ内の閉方向ｘ戸先側と戸尻側にそれぞれストッパ６・７を固設し、例えば閉時、外扉ｂに当接した連動ローラ３が回転しながら内扉ａも外扉ｂに連動して同じ閉方向ｘに遅れて移動するときに、連動ローラ３がスリップして外扉ｂが先に速く行き過ぎることがあると、閉方向戸尻側のストッパ７が戸当り５に当って外扉ｂを減速することにより速度調整し、内扉ａと外扉ｂが一部重なった状態のまま全閉位置に同時に到達して全閉するようにしている。
【先行技術文献】
【特許文献】
【０００４】
【特許文献１】特開２００９−２８０９７５号公報
【発明の概要】
【発明が解決しようとする課題】
【０００５】
ところが、従来、連動ローラを用いた連動式引戸装置は、内扉ａと外扉ｂとが連れ添って走行途中に外扉ｂが先に速く行き過ぎても、閉方向戸尻側のストッパ７が戸当り５に当って外扉ｂを減速する速度調整をするが、そのとき、急に減速する外扉ｂと固定のガイドレール２間で連動ローラ３がロック状態になるので、外扉ｂを、そのまま全閉位置まで閉方向ｘに引いて移動させると、全閉位置までの間、外扉ｂにブレーキがかかった状態になるため、連動引戸を閉めるときは、その都度、途中から連動引戸を無理に引き摺るように移動させなければならず、それでは閉操作が重く、身障者や非力な子供等にとって大きな負担になるという課題があった。
【０００６】
そこで、本発明の目的は、連動ローラを用いた連動式引戸装置において、内扉と外扉を連動して閉止するときに、閉動作の途中からブレーキがかかることがなく、軽くて簡単に閉操作できるようにすることにある。
【課題を解決するための手段】
【０００７】
上記した目的を達成すべく、請求項１に記載の発明は、たとえば以下に示す図示実施の形態のとおり、開口部Ｓの奥行方向に平行に配列した複数枚の連動引戸Ｍ・Ｎと、前記開口部Ｓの上枠１２、下枠１３の一方又は双方に固定して各引戸Ｍ・Ｎをそれぞれ開閉方向に案内する引戸レールＬと、前記連動引戸のうち奥行方向奥側の内扉Ｍに付設した支持手段４０で支持し、周面が奥行方向手前の外扉Ｎと前記引戸レールＬに当接する連動ローラ３０と、外扉Ｎが常に重なる内扉Ｍの閉方向戸先側の下部に突設する戸当り２０と、外扉Ｎの閉方向戸先側と戸尻側にそれぞれ固設するストッパ２４・２５を備え、最も手前の外扉Ｎを閉方向に移動すると、外扉Ｎに当接した前記連動ローラ３０が回転しながら内扉Ｍも外扉Ｎに連動して同じ方向へ遅れて移動する一方、前記戸当り２０に閉方向戸尻側の前記ストッパ２５を当てて外扉Ｎを内扉Ｍと連れだって移動する連動式引戸装置であって、前記連動ローラ３０の前記支持手段４０を、内扉Ｍの上部又は下部の一方に前記開口部Ｓの奥行方向に回転自在に付設する一方、外扉Ｎの上部又は下部の一方において、閉時に閉方向戸尻側の前記ストッパ２５が前記戸当り２０に当ったときに前記連動ローラ３０と対向する位置に、逃げ凹部６５を設けてなることを特徴とする。
【発明の効果】
【０００８】
請求項１に記載の発明によれば、内扉の上部に連動ローラの支持手段を開口部の奥行方向に回転自在に付設する一方、外扉の上部において、閉時に閉方向戸尻側のストッパが戸当りに当たるときに連動ローラと対向する位置に逃げ凹部を形成した構成であるため、外扉が内扉と連れだって閉方向に直進する途中に、閉方向戸尻側のストッパが戸当りに当たると、支持手段が回転して連動ローラが逃げ凹部に落ち込み、周面が引戸レールから離脱し、これにより、連動ローラが外扉と引戸レール間でロック状態になるのを未然に阻止し、外扉を、そのまま全閉位置まで閉方向へ引いて移動させても、外扉にブレーキがかかることはなく、その結果、身障者や非力な子供等にとっても、常に負担なく簡単に連動引戸を操作して閉止することができる。
【図面の簡単な説明】
【０００９】
【図１】（Ａ）本発明の一例である連動式引戸装置を適用した引戸構造体を、連動引戸が閉止途中の状態で示す正面図、（Ｂ）平面図、（Ｃ）Ａ図中線Ａ−Ａ断面図である。
【図２】連動ローラのローラ組立体を示す分解斜視図である。
【図３】連動ローラのローラ組立体を示す組立斜視図である。
【図４】走行ガイドを示す分解斜視図である。
【図５】走行ガイドの戸当りを示す側面図である。
【図６】走行ガイドの戸当りを示す斜視図である。
【図７】連動式引戸装置を適用した引戸構造体を示す斜視図である。
【図８】（Ａ）連動引戸が全開状態の引戸構造体を示す正面図、（Ｂ）平面図、（Ｃ）Ａ図中線Ｂ−Ｂ断面図である。
【図９】連動式引戸装置を含む引戸構造体の上部構造を示す要部切断側面図である。
【図１０】（Ａ）連動引戸が閉止途中の引戸構造体を示す正面図、（Ｂ）平面図、（Ｃ）Ａ図中線Ｃ−Ｃ断面図である。
【図１１】連動ローラが逃げ凹部に落ち込む状態で引戸構造体の上部構造を示す要部切断側面図である。
【図１２】（Ａ）連動引戸が全閉状態の引戸構造体を示す正面図、（Ｂ）平面図、（Ｃ）Ａ図中線Ｄ−Ｄ断面図である。
【図１３】（Ａ）連動引戸が開途中の引戸構造体を示す正面図、（Ｂ）平面図、（Ｃ）Ａ図中線Ｅ−Ｅ断面図である。
【図１４】従来の連動式引戸装置を備えた引戸構造体を示す要部切断側面図である。
【図１５】従来の連動式引戸装置を備えた引戸構造体を、連動引戸が閉途中の状態において示す正面図である。
【発明を実施するための形態】
【００１０】
以下、図面を参照しつつ、本発明の実施の形態について説明する。
【００１１】
図７は本発明の一例である連動式引戸装置を適用した引戸構造体を示す斜視図、図８（Ａ）は連動引戸が全開状態の引戸構造体を示す正面図、（Ｂ）は平面図、（Ｃ）はＡ図中線Ｂ−Ｂ断面図、図９は連動式引戸装置を含めて引戸構造体の上部構造を示す要部斜視図である。図示例の引戸構造体は、建物・建具・家具・クローゼット・物置などの開口部の開閉に使用される連動引戸の構造体で、開口部Ｓの矩形な扉枠Ｆと、扉枠Ｆ内で奥行方向最も奥側に固設された仕切り壁Ｗと、扉体Ｆ内で仕切り壁Ｗの奥行方向手前に平行に配列した連動引戸の内扉Ｍおよび外扉Ｎと、内扉Ｍと外扉Ｎをそれぞれ図中左右の開閉方向に案内する引戸レールＬと、連動引戸の下部を横振れしないように案内する走行ガイドＧとで構成されている。
【００１２】
扉枠Ｆは、例えば木製で、図中左右に立設した縦枠１０・１１と、縦枠１０・１１間に横架した天井側の上枠１２と床側の下枠１３とからなる。引戸レールＬは、上枠１２に下向きに固定した２本のガイドレール１４・１５からなる。ガイドレール１４・１５は、図９に示すように、それぞれ図中下面の長さ方向に逃げ溝１４ａ・１５ａをあけた略チャネル形状に曲げ成形し、逃げ溝１４ａ・１５ａの両側に戸車１８・１９の走行路１４ｂ・１５ｂを形成し、上板面を上枠１２に固着して並設してなる。
【００１３】
内扉Ｍと外扉Ｎは、いずれも矩形パネル状をなす木製の引戸で、上端面１６にそれぞれ戸車ブラケット１７を取り付け、戸車ブラケット１７で円周に係合リブ１８ａ・１９ａを有する戸車１８・１９を枢支して上端面１６に搭載している。下端面には、図８に示すように、長さ方向にガイド溝ｍ・ｎを凹設している。なお、図８に内扉Ｍと外扉Ｎを戸尻側端部を縦枠１０に当てた全開状態で示すとおり、外扉Ｎは開閉方向の幅サイズが内扉Ｍより長く、そのため、外扉Ｎには、図７に示すように、閉方向戸先側に縦長な引手２２が付設されている。
【００１４】
走行ガイドＧは、内扉Ｍの下部を案内するガイドローラ２３と、外扉Ｎの走行を規制する戸当り２０および一対のストッパ２４・２５からなる。内扉Ｍのガイドローラ２３は、取付板２６上に立設した支持軸２７の上端に回転自在に軸着し、取付板２６を開口部Ｓ寄りの下枠１３上にあって内扉Ｍのスライド軌道上に固設する。戸当り２０は、図４に示すように、アングル板２８と、ガイド軸２９と、締着用ビス３１とで構成する。アングル板２８は、金属板をＬ状に曲げ成形し、取付板部２８ａと、取付板部２８ａの下端縁から直角に突出したガイド板部２８ｂとからなる。ガイド板部２８ｂは、先端縁から基端縁に向けて長さ方向に２本の切り込みを平行に設けて、その切り込み間の中央片３２にアジャスト穴３３を設け、中央片３２を間に挟んだ幅方向両側の側片の双方を直角に曲げ起し、それらを戸当り部３５・３６として突設してなる。ガイド軸２９は、支柱２９ａと樹脂製ローラ２９ｂからなり、支柱２９ａの先端側の枢軸部をローラ２９ｂに貫挿して軸突端をワッシャーに嵌合させてから、軸突端をカシメてローラ２９ｂを回転可能に軸着する。
【００１５】
そこで、戸当り２０は、ガイド軸２９を立てて、支柱２９ａの基端軸部をアングル板２８のアジャスト穴３３に嵌挿し、基端軸部の雌ねじ穴に締着用ビス３１をねじ込み、図５および図６に示すように、ガイド板部２８ｂ上にガイド軸２９を立脚させて組み立てる。戸当り２０は、図１２に示すように、外扉Ｎが全閉位置にあっても外扉Ａが常に重なる内扉Ｍの閉方向戸先側の下部に取り付ける。戸当り２０を内扉Ｍに取り付けるときは、下枠１３との間に所定間隙を開ける内扉Ｍの最下端縁のラインに、アングル板２８のガイド板部２８ｂの位置を合わせて、その高さ位置で内扉Ｍの外側板面に取付板部２８ａをねじ止めする。
【００１６】
他方、走行ガイドＧのストッパ２４・２５は、図４に示すように、それぞれ弾性を有する樹脂製で、外扉Ｎのガイド溝ｎに嵌め込み可能に溝形状に合わせて略直方形で、中心を細筒穴２４ａ・２５ａが高さ方向に貫通している。走行ガイドＧは、これらストッパ２４・２５を、外扉Ｎのガイド溝ｎ内の閉方向戸先側と戸尻側それぞれ所定位置に固設する。即ち、閉方向戸先側ストッパ２４は、図８に示すように、連動引戸が全開したときでも、内扉Ｍに戸当り２０の戸当り部３５に当たる戸先側の戸当り位置に固定する一方、閉方向戸尻側ストッパ２５は、図１２に示すように、連動引戸が全閉したときでも戸当り２０の戸当り部３６に当たる戸尻側の戸当り位置に固定し、常に外扉Ｎが内扉Ｍの閉方向戸先側に重なってガイドローラ２３と戸当り２０を覆い隠す被り部分ｗが形成されるようにしている。ストッパ２４・２５は、それぞれ図４に示す止めねじ３７をねじ挿通管３８を介して細筒穴２４ａ・２５ａに通し、外扉Ｎのガイド溝ｎの底面にねじ込んで固着する。
【００１７】
そこで、図示引戸構造体では、図９に示すように、ガイドレール１５の走行路１５ｂに内扉Ｍの戸車１９を係合して内扉Ｍを扉枠Ｆ内の奥行方向奥側に吊り込み、次いで、ガイドレール１４の走行路１４ｂに外扉Ｎの戸車１８を係合して外扉Ｎを扉枠Ｆ内の内扉Ｍの奥行方向手前に吊り込み、両扉Ｍ・Ｎを、走行ガイドＧのガイドローラ２３や戸当り２０に外扉Ｎが覆い重なった目隠し状態で、図７に示すように、仕切り壁Ｗに沿って開閉方向に往復移動可能に配列する。
【００１８】
さて、上述した引戸構造体では、外扉Ｎの引手２２に手を掛けて、外扉Ｎを開閉方向に移動させると、本発明の連動式引戸装置が作動し、外扉Ｎの移動に内扉Ｍも連動して同じ方向へ遅れて移動して開口部Ｓを開閉するようになっている。
【００１９】
そこで、本発明の連動式引戸装置は、図１に示すように、連動ローラ３０と、連動ローラ３０を周面３０ａが外扉Ｎとガイドレール１５の双方に圧接するように支持する支持手段４０を備えた構成になっている。連動ローラ３０は、図２および図３に示すように、ローラ本体が硬質ゴムでドーナツ形状に成形され、中心穴３０ａに樹脂製ボス４１の円筒部４１ａを嵌め込んで全体にタイヤ型をなす。連動ローラ３０のローラ本体の材質はゴム製に限らず、樹脂製など、接触面の摩擦力によって動力を伝達し得る摩擦材であればよい。
【００２０】
支持手段４０は、連動ローラ３０を枢支するローラ軸４２と、ローラ軸４２を保持する可動ホルダ４３と、可動ホルダ４３を内扉Ｍに取り付ける取付基板４４と、コイル圧縮ばねの付勢ばね４５と、枢軸４６を備えた構成になっている。
【００２１】
ローラ軸４２は、金属製で、軸径が段階的に異なる太径のばね保持部４２ａと中間段部４２ｂと先端の細径なローラ嵌合部４２ｃからなる。可動ホルダ４３は、樹脂製の本体ケース４７と抜け止め片４８とからなる。本体ケース４７は、略直方体状をなし、長さ方向片側にローラ軸４２の軸穴４９が高さ方向に設けられる一方、長さ方向他側の端面に枢軸４６の軸受穴が長さ方向に設けられている。軸穴４９のローラ軸４２が挿通する開口４９ａが開いた上面には、開口４９ａの周縁に嵌め付け凹部４７ａが形成されている。抜け止め片４８は、Ｌ形に屈曲し、一片にローラ軸４２のばね保持部４２ａよりは小径な抜け止め穴５１の開いた嵌め付け凹部４７ａに対応する台座部４８ａを形成し、他片に２本の平行な脚部４８ｂを形成してなる。取付基板４４は、枢軸４６の取付穴５２を中心として９０度の角度位置に取付用目印５３が記されている。
【００２２】
そこで、支持手段４０は、枢軸４６を取付穴５２に嵌着して取付基板４４に先端４６ａを頭出し状態で取り付ける。一方、可動ホルダ４３の本体ケース４７の軸穴４９に、ばね保持部４２ａの端面に開いたばね穴５４に付勢ばね４５のばね一端を嵌め込んだ状態で、ローラ軸４２のばね保持部４２ａを、開口４９ａから挿入してから、抜け止め片４８の脚部４８ｂを嵌め付け凹部４７ａに設けた差込み穴５６に差し込んで台座部４８ａを嵌め付け凹部４７ａに嵌め付けて本体ケース４７に抜け止め片４８を組み付ける。次いで、軸穴４９の開口４９ａから突出したローラ軸４２のローラ嵌合部４２ｃを中心穴３０ａに貫挿し、連動ローラ３０を止め輪５７を介してローラ軸４２に回転自在に枢着する。すると、可動ホルダ４３は、ローラ軸４２を、軸方向に直進可能に保持すると共に、軸穴４９の穴底とばね保持部４２ａ間に介装した付勢ばね４５の付勢力で矢示方向に付勢して突出させる一方、抜け止め片４８をばね保持部４２ａに当てて抜け止めした状態で保持する。それから、取付基板４４の枢軸４６を可動ホルダ４３の軸受穴に嵌着し、支持手段４０を、枢軸４６を中心に回転自在に取付基板４４に連結し、以って、ローラ組立体５０を組み立てる。
【００２３】
ローラ組立体５０は、図９に示すように、内扉Ｍの上部において、取付基板４４を閉方向戸先側の木口面５９にねじ止めし、支持手段４０を、枢軸４６を支点として開閉方向と直交する開口部Ｓの奥行方向に回転可能に吊り下げた状態で、内扉Ｍに付設する。それから、連動ローラ３０を付勢ばね４５に抗して可動ホルダ４３寄りに押し込んだ状態にしてから、ローラ組立体５０を、取付用目印５３を目安に外扉Ｎ側へ回して外扉Ｎに対し４５度傾けて後に、連動ローラ３０の押し込みを解除して付勢ばね４５のばね付勢力を斜めに作用させ、連動ローラ３０の周面３０ａを外扉Ｎの内側板面６０とガイドレール１５の双方に直接当てて圧接する。
【００２４】
さて、連動式引戸装置では、図７および図１２に示すように、全閉した開口部Ｓを開けるときは、図中奥側の外側から、引手２２に手を掛け、開方向Ｙへ外扉Ｎを引いて移動させると、外扉Ｎの移動に伴い、外扉Ｎに圧接した連動ローラ３０が接触面の摩擦力で回転しながら内扉Ｍへ動力を伝達し、外扉Ｎに連動して同じ開方向Ｙへ遅れて移動する。そのとき、内扉Ｍは、図１３に示すように、ガイド溝ｍに係合した走行ガイドＧのガイドローラ２３で下部側を横振れしないで直進するように案内し、外扉Ｎは、ガイド溝ｎに係合した戸当り２０のガイド軸２９により下部側を横振れしないで直進するように案内する。その後、開口部Ｓを全開すると、図８に示すように、内扉Ｍは、閉方向戸尻側の端部が縦枠１０に当って停止し、外扉Ｎは、閉方向戸先側のストッパ２４が戸当り２０の戸当り部３５に当って停止し、外扉Ｎと内扉Ｍを仕切り壁Ｗの手前で横に重ねて配列し、走行ガイドＧのガイドローラ２３と戸当り２０を覆い隠した状態で、全開位置に位置決めされる。
【００２５】
一方、いま全開した開口部Ｓを閉めるときは、図中奥側の外側から、引手２２に手を掛け、閉方向Ｘへ外扉Ｎを引いて移動させると、外扉Ｎの移動に伴い、外扉Ｎに圧接した連動ローラ３０が接触面の摩擦力で回転しながら内扉Ｍへ動力を伝達し、外扉Ｎに連動して同じＸ方向へ遅れて移動する。そのとき、内扉Ｍは、図１０に示すように、ガイド溝ｍに係合した走行ガイドＧのガイドローラ２３で下部側を横振れしないで直進するように案内し、外扉Ｎは、ガイド溝ｎに係合した戸当り２０のガイド軸２９で下部側を横振れしないで直進するように案内する。それから、外扉Ｎが閉方向Ｘに直進途中に、連動ローラ３０が摩擦抵抗の異なるガイドレール１４と外扉Ｎとの間でスリップし、外扉Ｎが速く走行して先に行き過ぎることがあると、図１に示すように、外扉Ｎは、閉方向戸尻側のストッパ２５が戸当り２０の戸当り部３６に当って減速し、内扉Ｍの閉方向戸先側端部と重なる被り部分ｗで走行ガイドＧのガイドローラ２３と戸当り２０を覆い隠した状態で、内扉Ｍと連れだって閉方向Ｘへ移動し、最終的に図１２に示すように開口部Ｓを全閉にする。
【００２６】
そこで、本発明の連動式引戸装置Ｒは、図１および図１１に示すように、外扉Ｎの上部において、閉時に閉方向戸尻側のストッパ２５が戸当り２０の戸当り部３６に当たるときに連動ローラ３０と対向する位置に逃げ凹部６５を形成してなる。逃げ凹部６５は、凹面を補強材で補強している。
【００２７】
ところで、閉時、外扉Ｎが内扉Ｍと連れだって閉方向Ｘに直進途中に、連動ローラ３０がスリップして外扉Ｎが速く走行して先に行き過ぎると、閉方向戸尻側のストッパ２５が戸当り２０の戸当り部３６に当って減速するが、そのとき、減速した外扉Ｎと固定のガイドレール１５間で連動ローラ３０の回転がロック状態になるので、外扉Ｎを、そのまま全閉位置まで閉方向Ｘへ引いて移動しようとすると、外扉Ｎにブレーキがかかって連動引戸の閉操作が重くなると考えられる
【００２８】
従って、本発明の連動式引戸装置では、内扉Ｍの上部に連動ローラ３０の支持手段４０を開口部Ｓの奥行方向に回転自在に付設する一方、外扉Ｎの上部において、閉時に閉方向戸尻側のストッパ２５が戸当り２０の戸当り部３６に当たるときに連動ローラ３０と対向する位置に逃げ凹部６５を形成した構成であるため、外扉Ｎが内扉Ｍと連れだって閉方向Ｘに直進する途中に、閉方向戸尻側のストッパ２５が戸当り２０の戸当り部３６に当たると、支持手段４０が回転して連動ローラ３０が逃げ凹部６５に落ち込み、周面３０ａがガイドレール１５から離脱し、これにより、連動ローラ３０が外扉Ｎとガイドレール１５間でロック状態になるのを未然に阻止し、外扉Ｎを、そのまま全閉位置まで閉方向Ｘへ引いて移動させても、外扉Ｎにブレーキがかかることはなく、その結果、身障者や非力な子供等にとっても、常に負担なく簡単に連動引戸を操作して閉止することができる。
【００２９】
ところで、上述した図示実施の形態は、上戸車式の上吊り連動引戸において、内扉Ｍの上部に支持手段４０を付設して連動ローラ３０の周面３０ａを外扉Ｎとガイドレール１５に圧接した連動式引戸装置を適用した例を示した。しかし、本発明は、例えば下戸車式の連動引戸において、内扉の下部に支持手段を付設して連動ローラの周面を外扉と床側レールの双方に圧接して、同様に内扉Ｍを外扉Ｎに連動して移動させるようにした連動式引戸装置にも適用することができる。
【００３０】
図示他例の連動式引戸装置では、内扉の下部に、連動ローラの支持手段を開口部の奥行方向に回転自在に付設する一方、外扉の下部において、閉時に閉方向戸尻側のストッパが戸当りの戸当り部に当たるときに連動ローラと対向する位置に、連動ローラが落ち込む逃げ凹部を形成する。
【００３１】
以上の図示実施の形態には、いずれも引戸が２枚の連動引戸に適用した連動式引戸装置の例を示したが、本発明は、引戸が３枚以上の連動引戸に適用し得るのは勿論である。
【符号の説明】
【００３２】
Ｇ              走行ガイド
Ｌ              引戸レール
Ｍ              内扉
Ｎ              外扉
Ｓ              開口部
Ｘ              閉方向
Ｙ              開方向
１４・１５      ガイドレール）
２０            戸当り
２３            ガイドローラ
２４・２５      ストッパ
２９            ガイド軸
３０            連動ローラ
３５・３６      戸当り部
４０            支持手段
６５            逃げ凹部
【図１】
0005269961.tif 000002
【図２】
0005269961.tif 000003
【図３】
0005269961.tif 000004
【図４】
0005269961.tif 000005
【図５】
0005269961.tif 000006
【図６】
0005269961.tif 000007
【図７】
0005269961.tif 000008
【図８】
0005269961.tif 000009
【図９】
0005269961.tif 000010
【図１０】
0005269961.tif 000011
【図１１】
0005269961.tif 000012
【図１２】
0005269961.tif 000013
【図１３】
0005269961.tif 000014
【図１４】
0005269961.tif 000015
【図１５】
0005269961.tif 000016